(57)【要約】【課題】外部から衝撃を受けた場合に、ギア部分に過大な負荷が加わらないようにする。【解決手段】モータの回転軸に取り付けられるウォームギアと、ウォームギアに噛合するホイールギアと、ホイールギアと同じ回転軸を有して一体に回転するピニオンギアと、ピニオンギアに噛合するラックギアが取り付けられピニオンギアの回転に伴いスライド移動するスライダとを備える。ピニオンギアは、ホイールギアと別部品として形成されるとともに、ホイールギアの嵌合孔に圧入される。これにより、所定値以上の高トルクが加わった際に嵌め合い部で滑らせるトルクリミッター機能が付与される。【選択図】  図５
2004355668.tif 000002
【特許請求の範囲】
【請求項１】
モータの回転軸に取り付けられるウォームギアと、
上記ウォームギアに噛合するホイールギアと、
上記ホイールギアと同じ回転軸を有して一体に回転するピニオンギアと、
上記ピニオンギアに噛合するラックギアが取り付けられ、ピニオンギアの回転に伴いスライド移動するスライダとを備え、
上記ピニオンギアは、上記ホイールギアと別部品として形成されるとともに、ホイールギアの嵌合孔に圧入され、所定値以上の高トルクが加わった際に嵌め合い部で滑らせるトルクリミッター機能が付与されていることを特徴とする光ディスク装置。
【請求項２】
上記ピニオンギアの圧入される部分の寸法によりトルクリミッター機能が働くトルク値が設定されていることを特徴とする請求項１記載の光ディスク装置。
【請求項３】
上記ピニオンギアの圧入される部分の外面、またはホイールギアの嵌合孔の内面に凸部が形成されていることを特徴とする請求項１記載の光ディスク装置。
【請求項４】
上記スライダには、光ピックアップが取り付けられていることを特徴とする請求項１記載の光ディスク装置。
【発明の詳細な説明】
【０００１】
【発明の属する技術分野】
本発明は、例えば光ディスク装置における光ピックアップをスライド移動させるように、回転運動を直線運動に変えるウォームギアを用いたスライド送り機構に関する。
【０００２】
【従来の技術】
ウォームギアを用いたスライド送り機構は、回転運動を直線運動に変える機構の１つとして知られており、種々の装置で用いられている。
【０００３】
例えば、ＣＤ及びＤＶＤドライブのような光ディスク装置においては、ＣＤ及びＤＶＤ等の光ディスクに記録された情報を読み出すための光ピックアップ（ＯＰＵ）を、装置内に挿入された光ディスクの内周から外周へ径方向に亘ってスライド移動させる手段として、上述したウォームギアを用いたスライド送り機構が採用されている。
【０００４】
このような光ディスク装置におけるスライド送り機構としては、通常、ＤＣモータやステッピングモータ等の正逆回転可能なモータと、モータの回転軸に取り付けられたウォームギアと、モータの回転軸と直交する回転軸を有しウォームギアと噛合するホイールギアと、ホイールギアと一体に回転する小径のピニオンギアと、ピニオンギアと噛合するラックギアと、ラックギアが取り付けられガイドロッドに沿ってモータの軸方向に移動するスライダとから構成されている。そして、このスライダに、光ピックアップが取り付けられ、モータを正逆回転させることにより、光ピックアップを光ディスクの内周から外周へ、及び外周から内周へ径方向に移動できるよう構成されている。
【０００５】
上述したようなスライド送り機構では、光ディスク装置に外部から衝撃が加わった時に、この衝撃の影響によってスライダがスライド送り機構の動作とは無関係に移動しようとして、ギア部分に過度の負荷が加わる場合がある。このような場合、減速機構を構成する各ギアやスクリュー等の噛み合わせが外部からの衝撃によって容易に外れるよう構成し、スライダをスライド送り機構から解放して移動可能とすることによってギア部分にかかる負荷を逃がしたり、各ギアやスクリュー等の噛み合わせは外れないよう構成し、ギアの強度を高めることによって衝撃による負荷に耐え得るようにしている。
【特許文献】
特開２００３−１２３４１１
【０００６】
【発明が解決しようとする課題】
しかしながら、光ディスク装置のスライド送り機構において、外部からの衝撃によりギアのかみ合わせが外れるよう構成した場合には、スライド機構から解放されたスライダが衝撃の影響により高速で移動し、このような移動によってスライダに設けられた光ピックアップが大きな衝撃を受ける虞れがある。
【０００７】
また、外部からの衝撃によりギア部分のかみ合わせが外れないよう構成した場合には、ギア部分にかかる負荷が大きくなり過ぎ、特に高い１００Ｇを越えるような衝撃が加わった時に、各ギアの歯の変形や欠け等が生じて動作に不具合が生じる虞れがある。
【０００８】
そこで、本発明は、このような従来のものの有する欠点を解消するために提案されたものであり、外部から衝撃を受けた場合に、ギアのかみ合わせが外れるよう構成することなく、ギア部分に過大な負荷が加わらないようにすることが可能な光ディスク装置を提供することを目的とする。
【０００９】
【課題を解決するための手段】
上述の目的を達成するために、本発明に係る光ディスク装置は、モータの回転軸に取り付けられるウォームギアと、上記ウォームギアに噛合するホイールギアと、上記ホイールギアと同じ回転軸を有して一体に回転するピニオンギアと、上記ピニオンギアに噛合するラックギアが取り付けられ、ピニオンギアの回転に伴いスライド移動するスライダとを備え、上記ピニオンギアは、上記ホイールギアと別部品として形成されるとともに、ホイールギアの嵌合孔に圧入され、所定値以上の高トルクが加わった際に嵌め合い部で滑らせるトルクリミッター機能が付与されていることを特徴とする。
【００１０】
上述した構成を有する本発明に係る光ディスク装置構によれば、外部から衝撃が加わった場合には、ピニオンギアがホイールギアとの嵌め合い部でスリップすることでトルクリミッター機能が働き、スライダ送り機構の動作とは無関係にスライダが移動することによってピニオンギアやホイールギアに加わる力（衝撃）が解消される。
【００１１】
【発明の実施の形態】
以下、本発明に係る光ディスク装置スライド送り機構の具体的な実施の形態について、図面を参照しながら詳細に説明する。なお、以下に説明する実施の形態は、光ディスク装置において、光ディスクの径方向に亘って光ピックアップをスライド移動させるスライド送り機構に本発明を適用したものであるが、本発明はこのような例に限定されるものでないことはいうまでもない。
【００１２】
光ディスク装置１は、図１に示すように、装置本体２と、該装置本体２から同図中矢印Ａ方向に挿脱される光ディスクＤの搬送用のディスクトレイ３とを備えて構成されている。装置本体２には、ディスクトレイ３上の光ディスクＤを回転させ、記録された情報の読み出し等を行う各機構が配設された図２に示す機構ユニット１１が、該装置本体２の外筺であるケーシング４内に収容されてなる。
【００１３】
機構ユニット１１は、硬質樹脂等で構成されたユニットベース１２上に、光ディスクＤが載置されるターンテーブル１３と、光ディスクＤを再生又は記録・再生するための光ピックアップ１４と、この光ピックアップ１４をスライド移動させるスライド送り機構２１とが設けられている。
【００１４】
ターンテーブル１３は、スピンドルモータ（図示せず）によって回転駆動される円盤状の部材であって、ディスクトレイ３に乗って搬送されてきた光ディスクＤを位置決め固定するチャッキング機構である。光ディスク装置１では、ターンテーブル１３とともに、このターンテーブル１３に位置決め固定された光ディスクＤをスピンドルモータによって回転させる。
【００１５】
スライド送り機構２１は、ディスクトレイ３によって搬送されてきた光ディスクＤの径方向に亘って、矢印Ｂ方向に光ピックアップ１４をスライド移動させる。スライド送り機構２１は、駆動対象となる光ピックアップ１４が取り付けられるスライダ２２と、スライダ２２の移動方向を案内するガイドロッド２３と、スライダ２２の片面に取り付けられたラックギア２４と、このラックギア２４に噛合する平歯車であるピニオンギア２５と、ピニオンギア２５と同じ回転軸を有し該ピニオンギア２５と一体に回転するハスバ歯車であるホイールギア２６と、このホイールギア２６の回転軸と直交するモータ２７の回転軸２７ａに取り付けられホイールギア２６と噛合するウォームギア２８とからなる。
【００１６】
このスライド送り機構２１は、図３及び図４に示すように、モータ２７を駆動し回転軸２７ａを回転させることにより回転軸２７ａに取り付けられたウォームギア２８を回転させると、ウォームギア２８と噛合するホイールギア２６、及びこのホイールギア２６と一体に回転するピニオンギア２５が矢印Ｃ方向に回転する。そして、このようなピニオンギア２５の回転によって、このピニオンギア２５と噛合するラックギア２４が取り付けられたスライダが矢印Ｂ方向にスライド移動することで、光ピックアップ１４の光ディスクＤの径方向における移動が行われる。
【００１７】
ここで、上記ピニオンギア２５とホイールギア２６とは、図５に示すように別部品として成型されており、ピニオンギア２５の円筒状の基端部２５ａをホイールギア２６の嵌合孔２６ａに軽圧入することにより組み立てられている。これにより、高衝撃等、高いＧ値が加わった際に、その嵌め合い部で滑らせるトルクリミッター機能を付与することができる。
【００１８】
すなわち、ピニオンギア２５とホイールギア２６とは嵌め合わされているだけであるので、圧入による固定力を越える力が加わると、ピニオンギア２５の基端部２５ａがホイールギア２６の嵌合孔２６ａ内でスリップする。その結果、ある特定の高い衝撃等による高トルクが加わった場合にのみピニオンギア２５とホイールギア２６とは嵌め合わせ部ですべりが発生し、ピニオンギア２５やホイールギア２６のラックギア２４やウォームギア２８との噛み合い部等での歯の破損を防ぐ。通常時（スライド機構の動作時）には、上記嵌め合わせ部ですべりが発生することはなく、上下のギア（ピニオンギア２５とホイールギア２６）は一体となって回転し、ウォームギア２８の回転をラックギア２４に伝達する。
【００１９】
なお、上記の構造において、例えばピニオンギア２５の基端部２５ａの外径寸法とホイールギア２６の嵌合孔２６ａの内径寸法を特定の寸法で仕上げることにより、トルクリミッター機能が機能する、すなわち嵌め合い部で滑り始めるトルクを調整することが可能である。ピニオンギア２５の基端部２５ａの外径寸法を大きめに設計すれば、圧入に大きな力を要し、嵌め合い部で滑り始めるトルク値も大きくなる。逆に、ピニオンギア２５の基端部２５ａの外径寸法を小さめ設計すれば、嵌め合い部で滑り始めるトルク値も小さくなる。したがって、想定される衝撃の大きさ等に応じて設計すればよい。例えば、ピニオンギア２５の基端部２５ａの外形寸法を４．５ｍｍ、同様にホイルーギア２６の嵌合部２６ａの内径寸法を４．５ｍｍ、外形寸法と内径寸法の誤差を１２５μｍ〜１４５μｍとした場合、光ピックアップ１４に８０Ｇの衝撃が約８ｍｓｅｃ加わった時に嵌め合い部で滑りが発生する。
【００２０】
また、例えばホイールギア２６の嵌合孔２６ａの内面に一定間隔で半円形状の凸部や三角形状の凸部を形成しておき、そこにピニオンギア２５の基端部２５ａを凸部をつぶしながら圧入するようにすれば、圧入力や嵌め合い部で滑り始めるトルク値を低下させることができる。あるいは、ピニオンギア２５の基端部２５ａの外面に同様の凸部を形成しておいても、やはり圧入力や嵌め合い部で滑り始めるトルク値を低下させることができる。
【００２１】
以上のように構成することで、光ディスク装置１に外部から衝撃が加わることによってスライド送り機構２１の動作と無関係にスライダ２２を矢印Ｂ方向に移動させる力が働いた場合であっても、ピニオンギア２５とホイールギア２６間のトルクリミッター機能によって衝撃力が加わることが解消され、各ギアに過度の負荷がかかることにより歯の変形や欠け等が生ずることはなく、動作の不具合が防止される。
【００２２】
【発明の効果】
以上、詳細に説明したように、本発明に係る光ディスク装置のスライド送り機構によれば、外部から衝撃を受けた場合に、ギアのかみ合わせが外れるよう構成することなく、ギア部分に過大な負荷が加わらないようにすることが可能である。
【図面の簡単な説明】
【図１】本発明に係るスライド送り機構を備えた光ディスク装置の斜視図である。
【図２】スライド送り機構が配設された機構ユニットの概略構成を示す平面図である。
【図３】スライド送り機構の要部平面図である。
【図４】スライド送り機構の要部断面図である。
【図５】ピニオンギアとホイールギアの組立構造を分解して示す側面図である。
【符号の説明】
１          光ディスク装置
１１        機構ユニット
１２        ユニットベース
１４        光ピックアップ
２１        スライド送り機構
２２        スライダ
２３        ガイドロッド
２４        ラックギア
２５        ピニオンギア
２６        ホイールギア
２７        モータ
２８        ウォームギア
【図１】
2004355668.tif 000003
【図２】
2004355668.tif 000004
【図３】
2004355668.tif 000005
【図４】
2004355668.tif 000006
【図５】
2004355668.tif 000007